(57)【要約】【課題】複数の撮影画像の縮小画像を一覧表示させるマルチ画面再生モード時における、撮影画像間の差異を認識する困難さを解消する。【解決手段】画像再生装置は、マルチ再生モード時において、被写界の明るさの評価値に基づいて調整される撮影条件が同一である撮影画像を、１つの画像グループにまとめる画像編成手段と、該画像編成手段によって編成された画像グループについて、グループを代表する代表画像を決定する決定手段と、マルチ画面再生モード時において、画像グループごとに、該決定手段によって決定された代表画像を表示させる第１の表示手段（図６（ａ）参照）と、マルチ画面表示された複数の撮影画像から、１の代表画像が再生対象画像に選択されると、１の代表画像と同じ画像グループに属する撮影画像を一括に表示させる第２の表示手段（図６（ｂ）参照）とを備える。【選択図】図６
2011035641.tif 000002
【特許請求の範囲】
【請求項１】
記録媒体に記録された複数の撮影画像の縮小画像を一覧表示させるマルチ再生モードを有する画像再生装置であって、
被写界の明るさの評価値に基づいて調整される撮影条件が同一である撮影画像を、１つの画像グループにまとめる画像編成手段と、
前記画像編成手段によって編成された前記画像グループについて、グループを代表する代表画像を決定する決定手段と、
前記マルチ再生モード時において、前記画像グループごとに、前記決定手段によって決定された前記代表画像を表示させる第１の表示手段とを備える、画像再生装置。
【請求項２】
前記マルチ再生モード時において、マルチ画面表示された複数の撮影画像から、１の代表画像が再生対象画像に選択されると、前記１の代表画像と同じ画像グループに属する撮影画像を一括に表示させる第２の表示手段をさらに備える、請求項１に記載の画像再生装置。
【請求項３】
撮影画像と、この撮影画像と撮影条件が同一である他の撮影画像の有無を示す情報とを関連付けて前記記録媒体に記録する第１の記録手段をさらに備える、請求項１または２に記載の画像再生装置。
【請求項４】
撮影画像と、この撮影画像と撮影条件が同一である画像の枚数を示す情報とを関連付けて前記記録媒体に記録する第２の記録手段をさらに備え、
前記第１の表示手段は、前記代表画像が属する画像グループを構成する撮像画像の枚数を、前記代表画像上に表示させる、請求項３に記載の画像再生装置。
【請求項５】
レンズを経た被写界の光学像が照射される撮像面を有する撮像手段と、
条件調整操作に応答して被写界の明るさを評価する評価手段と、
前記評価手段の評価処理の後に撮影条件を調整する撮影条件調整手段と、
前記撮影条件調整手段による最新の調整処理に関連する評価値と前記評価手段の最新の評価値との相違が基準値よりも小さいときには、前記撮影条件調整手段の調整処理を禁止する禁止手段と、
前記条件調整操作の後の記録操作に応答して被写界像の記録処理を実行する記録手段と、
前記記録手段によって記録された複数の被写界像の縮小画像を一覧表示させるマルチ再生モードを有する画像再生手段とを備え、
前記画像再生手段は、
前記禁止手段の実行によって同一の撮影条件で記録処理された被写界像を、１つの画像グループにまとめる画像編成手段と、
前記画像編成手段によって編成された前記画像グループについて、グループを代表する代表画像を決定する決定手段と、
前記マルチ再生モード時において、前記画像グループごとに、前記決定手段によって決定された前記代表画像を表示させる表示手段とを含む、カメラ。
【請求項６】
記録媒体に記録された複数の撮影画像の縮小画像を一覧表示させるマルチ再生モードを有する画像再生方法であって、
被写界の明るさの評価値に基づいて調整される撮影条件が同一である撮影画像を、１つの画像グループにまとめるステップと、
前記画像グループを編成するステップによって編成された前記画像グループについて、グループを代表する代表画像を決定するステップと、
前記マルチ再生モード時において、前記画像グループごとに、前記決定手段によって決定された前記代表画像を表示させるステップとを備える、画像再生方法。
【発明の詳細な説明】
【技術分野】
【０００１】
この発明は、画像再生装置、カメラおよび画像再生方法に関し、より特定的には、記録媒体に記録された複数の撮影画像の縮小画像を一覧表示させるマルチ再生モードを有する画像再生装置およびカメラならびに画像再生方法に関する。
【背景技術】
【０００２】
被写界の輝度レベルに応じてフォーカスを調整するカメラの一例として、特開２００７−２４３７６９号公報（特許文献１）には、シャッタボタンの半押し操作に応答して、光学レンズを経て撮像面に照射される被写界の明るさを評価する評価手段と、評価手段の評価処理の後に光学レンズと撮像面との間隔を調整する間隔調整手段と、間隔調整手段による最新の調整処理に関連する評価手段の評価値と評価手段の最新の評価値との相違が基準よりも小さいときに間隔調整手段の調整処理を禁止する禁止手段と、条件調整操作の後のシャッタボタンの全押し操作に応答して被写界像の記録処理を実行する記録手段とを備えたカメラが開示される。この特許文献１に開示されるカメラによれば、被写界に大きな変更がない状態で条件調整操作を繰り返し行なう場合、レンズと撮像面との間隔は、最初の条件調整操作に応答して調整されるものの、２回目以降の条件調整操作に応答して調整されることがない。この結果、同じ被写界を撮影するときの操作性が向上する。
【先行技術文献】
【特許文献】
【０００３】
【特許文献１】特開２００７−２４３７６９号公報
【特許文献２】特開２００５−１２２０１６号公報
【特許文献３】特開２００９−８８９６１号公報
【発明の概要】
【発明が解決しようとする課題】
【０００４】
ところで、記録媒体に記録された撮影画像を再生するモードとして、複数の画像を縮小して一覧表示させるマルチ再生モード（サムネイル表示モード）を備えているカメラが実用化されている。このようなマルチ再生モードを有するカメラとしては、マルチ再生モード時において、３×３のようにｍ×ｎ（ｍ，ｎは自然数）枚の画像を一画面内に表示できるが、このｍ，ｎを設定変更できるものもある。これによれば、１画面内の表示可能枚数が大きくなるほど、マルチ画面上に表示される各画像（サムネイル）がより縮小されて表示される。
【０００５】
ここで、上記の特許文献１に開示されるカメラにおいては、被写界に大きな変更がないために被写界の撮影条件の調整が省略されるため、記録処理においては、略同一の画像が複数枚連続して記録されることとなる。その一方で、マルチ再生モード時においては、同一の画像であっても別画像として扱われることから、１画面内には略同一の画像が複数枚連続して表示されることとなる。
【０００６】
この結果、上記の特許文献１に開示されるカメラにおいては、マルチ再生モード時において、ユーザが画像間の差異を認識しづらいという不具合が生じてしまう。特に、１画面内の表示可能枚数が大きくなるほど、各画像のサイズが小さくなるため、かかる不具合が顕著に発生する。これにより、ユーザがどのような画像が保存されているかの確認や画像の検索を行なうことが困難となる。
【０００７】
それゆえ、この発明はかかる課題を解決するためになされたものであり、その目的は、複数の撮影画像の縮小画像を一覧表示させるマルチ再生モード時における、撮影画像間の差異を認識する困難さを解消することが可能な画像再生装置、カメラおよび画像再生方法を提供することである。
【課題を解決するための手段】
【０００８】
この発明のある局面に従えば、画像再生装置は、記録媒体に記録された複数の撮影画像の縮小画像を一覧表示させるマルチ再生モードを有する。画像再生装置は、被写界の明るさの評価値に基づいて調整される撮影条件が同一である撮影画像を、１つの画像グループにまとめる画像編成手段と、画像編成手段によって編成された画像グループについて、グループを代表する代表画像を決定する決定手段と、マルチ再生モード時において、画像グループごとに、決定手段によって決定された代表画像を表示させる第１の表示手段とを備える。
【０００９】
好ましくは、画像再生装置は、マルチ再生モード時において、マルチ画面表示された複数の撮影画像から、１の代表画像が再生対象画像に選択されると、１の代表画像と同じ画像グループに属する撮影画像を一括に表示させる第２の表示手段をさらに備える。
【００１０】
好ましくは、画像再生装置は、撮影画像と、この撮影画像と撮影条件が同一である他の撮影画像の有無を示す情報とを関連付けて記録媒体に記録する第１の記録手段をさらに備える。
【００１１】
好ましくは、画像再生装置は、撮影画像と、この撮影画像と撮影条件が同一である画像の枚数を示す情報とを関連付けて記録媒体に記録する第２の記録手段をさらに備える。第１の表示手段は、代表画像が属する画像グループを構成する撮像画像の枚数を、代表画像上に表示させる。
【００１２】
この発明の別の局面に従えば、カメラは、レンズを経た被写界の光学像が照射される撮像面を有する撮像手段と、条件調整操作に応答して被写界の明るさを評価する評価手段と、評価手段の評価処理の後に撮影条件を調整する撮影条件調整手段と、撮影条件調整手段による最新の調整処理に関連する評価値と評価手段の最新の評価値との相違が基準値よりも小さいときに、撮影条件調整手段の調整処理を禁止する禁止手段と、条件調整操作の後の記録操作に応答して被写界像の記録処理を実行する記録手段と、記録手段によって記録された複数の被写界像の縮小画像を一覧表示させるマルチ再生モードを有する画像再生手段とを備える。画像再生手段は、禁止手段の実行によって同一の撮影条件で記録処理された被写界像を、１つの画像グループにまとめる画像編成手段と、画像編成手段によって編成された画像グループについて、グループを代表する代表画像を決定する決定手段と、マルチ再生モード時において、画像グループごとに、決定手段によって決定された代表画像を表示させる表示手段とを含む。
【００１３】
この発明の別の局面に従えば、記録媒体に記録された複数の撮影画像の縮小画像を一覧表示させるマルチ再生モードを有する画像再生方法であって、被写界の明るさの評価値に基づいて調整される撮影条件が同一である撮影画像を、１つの画像グループにまとめるステップと、画像グループを編成するステップによって編成された画像グループについて、グループを代表する代表画像を決定するステップと、マルチ再生モード時において、画像グループごとに、決定手段によって決定された代表画像を表示させるステップとを備える。
【発明の効果】
【００１４】
この発明によれば、同一の撮影条件で撮影された画像を含む複数の画像をマルチ画面表示させる場面において、被写界に大きな変更がない撮影画像間の差異を認識する困難さが解消される。その結果、再生画像の確認や検索を容易に行なうことが可能となる。
【図面の簡単な説明】
【００１５】
【図１】この発明の実施の形態に係る画像再生装置が搭載されるデジタルカメラの要部を示す概略構成図である。
【図２】この発明の実施の形態に従う撮影処理を説明するタイミングチャートである。
【図３】この発明の実施の形態に従う撮影処理を説明するフローチャートである。
【図４】この発明の実施の形態に従う撮影処理を説明するフローチャートである。
【図５】この発明の実施の形態に従う記録処理によって生成されるファイルリストの一例を示す。
【図６】この発明の実施の形態に従うマルチ画面表示の表示画像の一例を示す図である。
【図７】この発明の実施の形態に従うマルチ画面再生処理を説明するフローチャートである。
【図８】この発明の実施の形態に従う同一ＡＥ／ＡＦ画像再生処理を説明するフローチャートである。
【発明を実施するための形態】
【００１６】
以下、本発明の実施の形態について、図面を参照しながら詳細に説明する。なお、図中の同一または相当する部分には同一符号を付してその説明は繰返さない。
【００１７】
図１には、この発明の実施の形態に係る画像再生装置が搭載されるデジタルカメラ１０の要部を示す概略構成図である。
【００１８】
図１を参照して、デジタルカメラ１０において、被写界の光学像は、光学レンズ１２を通してイメージセンサ１６の受光面つまり撮像面に照射される。撮像面では、光電変換によって被写界の光学像に対応する電荷つまり生画像信号が生成される。
【００１９】
電源が投入されると、スルー画像処理つまり被写界のリアルタイム動画像を液晶モニタ３８に表示する処理が実行される。具体的には、ＣＰＵ２８はまず、プリ露光および間引き読み出しの繰り返しをタイミングジェネレータ（ＴＧ）／シグナルジェネレータ（ＳＧ）２２に命令する。
【００２０】
ＴＧ／ＳＧ２２は、イメージセンサ１６のプリ露光とこれによって生成された生画像信号の間引き読み出しとを繰り返し実行する。プリ露光および間引き読み出しは、１／３０秒毎に発生する垂直同期信号に応答して実行される。これによって、被写界の光学像に対応する低解像度の生画像信号が、３０ｆｐｓのフレームレートでイメージセンサ１６から出力される。
【００２１】
ＣＤＳ／ＡＧＣ／ＡＤ回路１８は、相関２重サンプリング、ゲイン調整およびＡ／Ｄ変換の一連の処理をイメージセンサ１６から出力された各フレームの生画像信号に施す。ＣＤＳ／ＡＧＣ／ＡＤ回路１８から出力されたデジタル信号である生画像データは、ホワイトバランス調整、色分離、ＹＵＶ変換などの処理を信号処理回路２０によって施され、これによってＹＵＶ形式の画像データに変換される。
【００２２】
信号処理回路２０は、バスＢ１を通して所定量の画像データをメモリ制御回路３２に与え、この所定量の画像データの書込みリクエストをメモリ制御回路３２に向けて発行する。所定量の画像データは、メモリ制御回路３２によってＳＤＲＡＭ３４に書き込まれる。こうして、画像データは所定量ずつＳＤＲＡＭ３４に格納される。
【００２３】
ビデオエンコーダ３６は、メモリ制御回路３２から与えられた画像データをＮＴＳＣフォーマットに従うコンポジットビデオ信号に変換し、変換されたコンポジットビデオ信号を液晶モニタ３８に与える。この結果、被写界のスルー画像がモニタ画面に表示される。
【００２４】
輝度評価回路２４は、信号処理回路２０によって生成されたＹＵＶ形式の画像データのうちＹデータに基づいて、１／３０秒毎に被写界の輝度を評価する。このとき、輝度評価回路２４は、被写界を水平方向および垂直方向の各々において１６分割し、２５６個の分割エリアの各々についてＹデータを積算する。この結果、２５６個の輝度評価値Ｉｙ［０］〜Ｉｙ［２５５］が輝度評価回路２４で生成される。
【００２５】
輝度評価値Ｉｙ［０］〜Ｉｙ［２５５］は、ＣＰＵ２８によって取り込まれ、スルー画像用ＡＥ処理に利用される。ＣＰＵ２８は、輝度評価値Ｉｙ［０］〜Ｉｙ［２５５］に基づいて露光時間を算出し、算出された露光時間がＴＧ／ＳＧ２２に設定される。この結果、液晶モニタ３８に表示されるスルー画像の明るさが適度に調整される。
【００２６】
シャッタボタン３０が半押しされると、被写界像の撮影条件が調整される。ＣＰＵ２８はまず、記録用ＡＥ処理を実行する。この結果、被写界像の最適露光時間が厳密に算出され、算出された最適露光時間がＴＧ／ＳＧ２２に設定される。
【００２７】
具体的には、垂直同期信号Ｖｓｙｎｃが発生すると、ＣＰＵ２８は、輝度評価回路２４で積算された最新の輝度評価値Ｉｙ［０］〜Ｉｙ［２５５］を取り込み、取り込んだ輝度評価値Ｉｙ［０］〜Ｉｙ［２５５］に従って露光時間を厳密に調整する。露光時間の調整処理が完了した後に、垂直同期信号Ｖｓｙｎｃが発生すると、輝度評価回路２４から再度輝度評価値Ｉｙ［０］〜Ｉｙ［２５５］を取り込み、露光時間の調整処理を実行する。上述の処理が再度実行され、３回の調整処理によって厳密に調整された最適露光時間が生成される。
【００２８】
なお、記録用ＡＥ処理によってＴＧ／ＳＧ２２に設定された最適露光時間は、シャッタボタン３０の半押し状態が継続される限り、変更されることはない。
【００２９】
最適露光時間が調整されると、ＣＰＵ２８は次に、輝度評価回路２４から取り込んだ最新の輝度評価値Ｉｙ［０］〜Ｉｙ［２５５］をレジスタＲｃｕｒｒｅｎｔに登録する。なお、レジスタＲｃｕｒｒｅｎｔに登録された輝度評価値Ｉｙ［０］〜Ｉｙ［２５５］を、特に輝度評価値Ｉｙｃ［０］〜Ｉｙｃ［２５５］と定義する。
【００３０】
レジスタＲｃｕｒｒｅｎｔに最新の輝度評価値Ｉｙｃ［０］〜Ｉｙｃ［２５５］が登録されると、判別処理が実行される。具体的には、ＣＰＵ２８は、レジスタＲｃｕｒｒｅｎｔに登録された輝度評価値Ｉｙｃ［０］〜Ｉｙｃ［２５５］とレジスタＲｓａｖｅに退避された輝度評価値Ｉｙｓ［０］〜Ｉｙｓ［２５５］とのずれ量を算出し、算出結果に基づいてＡＦ処理をすべきか否かを判別する。なお、輝度評価値Ｉｙｓ［０］〜Ｉｙｓ［２５５］がレジスタＲｓａｖｅに登録されるタイミングについては、後に詳述する。
【００３１】
判別結果が肯定的であれば、レジスタＲｓａｖｅに退避された輝度評価値Ｉｙｓ［０］〜Ｉｙｓ［２５５］に対応する被写界像は、レジスタＲｃｕｒｒｅｎｔに登録された輝度評価値Ｉｙｃ［０］〜Ｉｙｃ［２５５］に対応する被写界像に大きな変更がない状態であると判断され、後述するＡＦ処理が禁止される。この結果、同じ被写界を撮影するときの操作性が向上する。
【００３２】
一方、判別結果が否定的であれば、レジスタＲｓａｖｅに退避された輝度評価値Ｉｙｓ［０］〜Ｉｙｓ［２５５］に対応する被写界像は、レジスタＲｃｕｒｒｅｎｔに登録された輝度評価値Ｉｙｃ［０］〜Ｉｙｃ［２５５］に対応する被写界像に大きな変更がある状態であると判断され、ＡＦ処理が実行される。
【００３３】
具体的には、ＡＦ評価回路２６は、信号処理回路２０で生成されたＹデータの高域周波数成分を１フレーム毎に積分する。積分結果つまりフォーカス評価値はＣＰＵ２８に取り込まれ、ＣＰＵ２８は取り込んだフォーカス評価値に基づいてドライバ１４を制御する。この結果、光学レンズ１２の光軸方向の位置が調整される。
【００３４】
ＡＦ処理が完了すると、ＣＰＵ２８は、退避処理を実行する。このとき、レジスタＲｓａｖｅには、レジスタＲｃｕｒｒｅｎｔに登録された輝度評価値Ｉｙｃ［０］〜Ｉｙｃ［２５５］が輝度評価値Ｉｙｓ［０］〜Ｉｙｓ［２５５］として退避される。この結果、ＡＦ処理に関連してレジスタＲｓａｖｅに退避される輝度評価値Ｉｙｓ［０］〜Ｉｙｓ［２５５］は、最新の記録用ＡＥ処理に起因する輝度評価値Ｉｙｃ［０］〜Ｉｙｃ［２５５］と一致する。
【００３５】
シャッタボタン３０が全押しされると、ＣＰＵ２８によって撮影／記録処理が実行される。ＣＰＵ２８は、最適露光時間に従う本露光と全画素読み出しとをＴＧ／ＳＧ２２に命令する。イメージセンサ１６は本露光を施され、これによって得られた全ての電荷つまり高解像度の高解像度の生画像信号がイメージセンサ１６から出力される。出力された生画像信号は、ＣＤＳ／ＡＧＣ／ＡＤ回路１８によって生画像データに変換され、変換された生画像データは信号処理回路２０を通してＳＤＲＡＭ３４に書き込まれる。この結果、ＹＵＶ形式の画像データがＳＤＲＡＭ３４に一旦格納される。
【００３６】
上述の処理が完了すると、ＣＰＵ２８は続いて、ＪＰＥＧコーデック４０およびＩ／Ｆ５２に命令を与える。ＪＰＥＧコーデック４０は、ＳＤＲＡＭ３４に格納された画像データをメモリ制御回路３２を通して読み出す。読み出された画像データは、バスＢ１を経てＪＰＥＧコーデック４０に与えられ、ＪＰＥＧ圧縮が施される。これによって生成された圧縮画像データは、バスＢ１を経てメモリ制御回路３２に与えられ、これによってＳＤＲＡＭ３４に書き込まれる。Ｉ／Ｆ４２は、ＳＤＲＡＭ３４に格納された圧縮画像データをメモリ制御回路３２を通して読み出し、読み出された圧縮画像データをファイル形式で記録媒体４４に記録する。さらに、ＳＤＲＡＭ３４に格納された圧縮画像データからサムネイルデータが生成され、生成されたサムネイルデータが、ＪＰＥＧコーデック４０によってＪＰＥＧ形式にエンコードされた後、Ｉ／Ｆ４２によって記録媒体４４に記録される。
【００３７】
被写界に大きな変化がない状態でシャッタボタン３０の半押し操作を繰り返し行なう場合、ＡＦ処理は、最初の半押し操作に応答して実行されるものの、２回目以降の半押し操作に応答せず省略される。
【００３８】
具体的には、図２（Ａ）に示すタイミングで１回目の半押し操作が行なわれると、１回目の半押し操作に対応する被写界の輝度評価値Ｉｙ［０］〜Ｉｙ［２５５］がレジスタＲｃｕｒｒｅｎｔ（図２（Ｂ）参照）に登録され、ＡＦ処理（図２（Ｅ）参照）がＣＰＵ２８によって実行され、そしてレジスタＲｃｕｒｒｅｎｔに登録された輝度評価値Ｉｙｃ［０］〜Ｉｙｃ［２５５］がレジスタＲｓａｖｅ（図２（Ｃ）参照）に退避される。このとき、フラグＦｌａｇ（図２（Ｄ）参照）は“１”に設定される。
【００３９】
次に、図２（Ａ）に示すタイミングで２回目の半押し操作が行なわれると、２回目の半押し操作に対応する被写界の輝度評価値Ｉｙ［０］〜Ｉｙ［２５５］がレジスタＲｃｕｒｒｅｎｔに登録される。ＣＰＵ２８は、レジスタＲｃｕｒｒｅｎｔの輝度評価値Ｉｙｃ［０］〜Ｉｙｃ［２５５］とレジスタＲｓａｖｅの輝度評価値Ｉｙｓ［０］〜Ｉｙｓ［２５５］とのずれ量を算出する。この算出結果が基準値よりも小さいときには、フラグＦｌａｇは図２（Ｄ）に示すように、“０”に設定され、レジスタＲｓａｖｅ（図２（Ｃ）参照）には、１回目の半押し操作に対応する輝度評価値Ｉｙｓ［０］〜Ｉｙｓ［２５５］が保持され続け、ＡＦ処理は図２（Ｅ）に示すように省略される。この結果、同じ被写界を撮影するときの操作性が向上する。
【００４０】
一方、最初の半押し操作に対応する被写界に対して被写界に大きな変化がある状態で３回目の半押し操作が行なわれると、３回目の半押し操作（図２（Ａ）参照）に対応する被写界の輝度評価値Ｉｙ［０］〜Ｉｙ［２５５］がレジスタＲｃｕｒｒｅｎｔ（図２（Ｂ）参照）に登録される。ＣＰＵ２８は、レジスタＲｃｕｒｒｅｎｔの輝度評価値Ｉｙｃ［０］〜Ｉｙｃ［２５５］とレジスタＲｓａｖｅの輝度評価値Ｉｙｓ［０］〜Ｉｙｓ［２５５］とのずれ量を算出する。この算出結果は基準値以上となるため、フラグＦｌａｇは図２（Ｄ）に示すように“１”に設定され、ＡＦ処理（図２（Ｅ）参照）はＣＰＵ２８によって実行される。そしてレジスタＲｃｕｒｒｅｎｔに登録された輝度評価値Ｉｙｃ［０］〜Ｉｙｃ［２５５］がレジスタＲｓａｖｅ（図２（Ｃ）参照）に退避される。
【００４１】
このように、被写界の光学像が、イメージセンサ１６が保持する撮像面に光学レンズ１２を経て投射されると、被写界の明るさは、シャッタボタン３０の半押し操作に応答して、輝度評価回路２４によって評価される。光学レンズ１２と撮像面との間隔は、輝度評価回路２４の評価処理後にＣＰＵ２８によって調整される。
【００４２】
このとき、ＡＦ処理による最新の調整処理に関連する評価値と輝度評価回路２４による最新の評価値とのずれ量が基準値よりも小さければ、ＡＦ処理がＣＰＵ２８によって禁止される。したがって、被写界に大きな変更がない状態で半押し操作を繰り返し行なう場合、光学レンズ１２と撮像面との間隔は、最初の半押し操作に応答して調整されるものの、２回目以降の半押し操作に応答して調整されることはない。これによって、同じ被写界を撮影するときの操作性が向上する。
【００４３】
さらに、被写界像の記録処理は、シャッタボタン３０の半押し操作後の全押し操作に応答して、ＣＰＵ２８によって実行される。この記録処理においては、被写界に大きな変化がない状態であるためにＡＦ処理が省略された画像データに対しては、ＡＦ処理が省略されたこと、すなわち、前回の撮影処理によって撮影された画像データと、今回の撮影処理によって撮影された画像データとが、同一の撮影条件であることを示す情報が、画像データに付加される。
【００４４】
具体的には、１回目の半押し操作に対応する被写界に対して被写界に大きな変化がない状態で２回目の半押し操作が行なわれた場合には、フラグＦｌａｇが“０”に設定され（図２（Ｄ）参照）、ＡＦ処理が省略される（図２（Ｅ）参照）。この場合、シャッタボタン３０の全押し操作に応答して記録された画像データには、１回目の半押し操作における撮影処理によって撮影された画像データと、同一の撮影条件であることを示す情報（以下、「同一ＡＥ／ＡＦ画像」とも称する。）が付加される。
【００４５】
一方、最初の半押し操作に対応する被写界に対して被写界に大きな変化がある状態で３回目の半押し操作が行なわれた場合には、フラグＦｌａｇが“１”に設定され（図２（Ｄ）参照）、ＡＦ処理が実行される（図２（Ｅ）参照）。この場合、シャッタボタン３０の全押し操作に応答して記録された画像データには、１回目の半押し操作における撮影処理によって撮影された画像データとは、異なる撮影条件であることを示す情報（以下、「通常画像」とも称する。）が付加される。
【００４６】
なお、図１の記録媒体４４に記録される画像ファイルは、一般的なデジタルカメラにおける画像ファイルと同様に、Ｅｘｉｆ（Exchangeable Image file format）規格のファイル形式であり、撮影した画像データの他、撮影日時、シャッター速度、絞り値、ＩＳＯ感度、カメラ機種名、画素数、圧縮モード、色空間、撮影者名等の様々な情報（以下、「Ｅｘｉｆ情報」という。）を情報ごとに予め指定されている画像ファイルの各エリアに記述できるようになっている。したがって、上述した「同一ＡＥ／ＡＦ画像」または「通常画像」であるという情報は、このＥｘｉｆ情報に付加される。
【００４７】
（撮影処理）
ＣＰＵ２８は、具体的には、図３〜図６に示すフローチャートに従う処理を実行する。なお、このフローチャートに対応する撮影制御プログラムは、フラッシュメモリ４６に記憶される。
【００４８】
まず図３を参照して、ステップＳ１では、初期化を行なう。ここでは、フラグＦｌａｇを“１”に設定し、初期値を示す露光時間をＴＧ／ＳＧ２２に設定し、そしてレジスタＲｃｕｒｒｅｎｔ，Ｒｓａｖｅをリセットする。ステップＳ０３では、スルー画像処理を行なう。これによって、被写界のスルー画像が液晶モニタ３８に表示される。
【００４９】
ステップＳ０３では、シャッタボタン３０が半押しされたか否かを判別する。シャッタボタン３０が半押しされていなければ（判別結果がＮＯ）、スルー画像用のＡＥ処理を実行し（ステップＳ０６）、ステップＳ０２に戻る。
【００５０】
一方、シャッタボタン３０が半押しされたとき（判別結果がＹＥＳ）には、ステップＳ０４で記録用ＡＥ処理を実行する。この記録用ＡＥ処理では、上述したように、輝度評価回路２４（図１）で積算された最新の輝度評価値Ｉｙ［０］〜Ｉｙ［２５５］に従った露光時間の調整処理が３回実行されることにより、最適露光時間が生成される。
【００５１】
ステップＳ０５では、判別処理を実行する。この判別処理では、上述したように、レジスタＲｃｕｒｒｅｎｔに登録された輝度評価値Ｉｙｃ［０］〜Ｉｙｃ［２５５］とレジスタＲｓａｖｅに退避された輝度評価値Ｉｙｓ［０］〜Ｉｙｓ［２５５］とのずれ量を算出し、算出結果に基づいてＡＦ処理をすべきか否かを判別する。
【００５２】
そして、判別結果が肯定的であれば、レジスタＲｓａｖｅに退避された輝度評価値Ｉｙｓ［０］〜Ｉｙｓ［２５５］に対応する被写界像は、レジスタＲｃｕｒｒｅｎｔに登録された輝度評価値Ｉｙｃ［０］〜Ｉｙｃ［２５５］に対応する被写界像に大きな変更がない状態であると判断し、ＡＦ処理を禁止すべくフラグＦｌａｇを“０”に設定する。
【００５３】
一方、判別結果が否定的であれば、レジスタＲｓａｖｅに退避された輝度評価値Ｉｙｓ［０］〜Ｉｙｓ［２５５］に対応する被写界像は、レジスタＲｃｕｒｒｅｎｔに登録された輝度評価値Ｉｙｃ［０］〜Ｉｙｃ［２５５］に対応する被写界像に大きな変更がある状態であると判断され、ＡＦ処理を実行するべく、フラグＦｌａｇを“１”に設定する。
【００５４】
次に図４を参照して、ステップＳ０７では、判別処理に従って設定されたフラグＦｌａｇが“１”を示すか否かを判別する。フラグＦｌａｇが“１”のとき（ステップＳ０７にてＹＥＳ）には、ステップＳ０８に進み、フラグＦｌａｇが“０”のとき（ステップＳ０７にてＮＯ）には、ステップＳ１５に進む。
【００５５】
ステップＳ０８では、ＡＦ処理を実行する。つまり、ＡＦ評価回路２６からフォーカス評価値を取り込み、取り込んだフォーカス評価値に基づいてドライバ１４を制御する。この結果、光学レンズ１２の光軸方向の位置が調整される。
【００５６】
ステップＳ０９では、退避処理を実行する。具体的には、レジスタＲｃｕｒｒｅｎｔに登録された輝度評価値Ｉｙｃ［０］〜Ｉｙｃ［２５５］を、輝度評価値Ｉｙｓ［０］〜Ｉｙｓ［２５５］としてレジスタＲｓａｖｅに退避する。この結果、ＡＦ処理が実行された時点出の輝度評価値がレジスタＲｓａｖｅに確保される。
【００５７】
ステップＳ１０では、シャッタボタン３０が全押しされたか否かを判別する。シャッタボタン３０が全押しされていなければ（判別結果がＮＯ）、ステップＳ１１でシャッタボタン３０が解除された否かを判別する。シャッタボタン３０の半押し状態が解除されると（ステップＳ１１にてＹＥＳ）、ステップＳ０２に戻り、シャッタボタン３０の半押し状態が継続すれば（ステップＳ１１にてＮＯ）、ステップＳ１０に戻る。
【００５８】
これに対して、ステップＳ１０でシャッタボタン３０が全押しされたとき（ステップＳ１０にてＹＥＳ）には、ステップＳ１２で撮影／記録処理を行なう。このとき記録処理においては、撮影された画像データのＥｘｉｆ情報に、「通常画像」である情報が付加される。
【００５９】
ステップＳ１３では、今回の撮影処理によって撮影した画像データに番号付けをし、それをファイル名として記録媒体４４に格納されているファイルリストに追加する。このとき、今回の画像データは、「通常画像」としてファイルリストに追加される。そして、ステップＳ１４でファイルリストの更新によって画像データの保存が完了すると、ステップＳ０２（図３）に戻る。
【００６０】
再びステップＳ０７に戻って、フラグＦｌａｇが“０”のとき（ステップＳ０７にてＮＯ）には、ステップＳ１５でシャッタボタン３０が全押しされたか否かを判別する。シャッタボタン３０が全押しされていなければ（判別結果がＮＯ）、ステップＳ１６でシャッタボタン３０が解除された否かを判別する。シャッタボタン３０の半押し状態が解除されると（ステップＳ１６にてＹＥＳ）、ステップＳ０２に戻り、シャッタボタン３０の半押し状態が継続すれば（ステップＳ１６にてＮＯ）、ステップＳ１５に戻る。
【００６１】
これに対して、ステップＳ１５でシャッタボタン３０が全押しされたとき（ステップＳ１０にてＹＥＳ）には、ステップＳ１７で撮影／記録処理を行なう。このとき記録処理においては、撮影された画像データのＥｘｉｆ情報に、「同一ＡＥ／ＡＦ画像」である情報が付加される。
【００６２】
ステップＳ１８では、今回の撮影処理によって撮影した画像データに番号付けをし、それをファイル名として記録媒体４４に格納されているファイルリストに追加する。このとき、今回の画像データは、「同一ＡＥ／ＡＦ画像」としてファイルリストに追加される。そして、ステップＳ１４でファイルリストの更新によって画像データの保存が完了すると、ステップＳ０２（図３）に戻る。
【００６３】
（ファイルリスト）
図５に、上述した記録処理によって生成されるファイルリストの一例を示す。
【００６４】
図５を参照して、ファイルリストには、画像ファイルの撮影順序を表わすファイル番号の欄、画像ファイルのファイル名の欄、および画像ファイルに含まれるＥｘｉｆ情報の欄が設けられている。
【００６５】
ファイル名の欄には、記録媒体４４に記録されている画像ファイルのファイル名（「０００１．ＪＰＧ」，「０００２．ＪＰＧ」，「０００３．ＪＰＧ」・・・）が表示される。Ｅｘｉｆ情報の欄には、撮影した画像データの撮影条件として、「ＡＥ／ＡＦ情報」および「同一ＡＥ／ＡＦ画像枚数」が表示される。
【００６６】
具体的には、「ＡＥ／ＡＦ情報」の欄には、上述した撮影処理においてＡＦ処理が実行された画像ファイルについては、「通常画像」が表示され、撮影処理においてＡＦ処理が省略された画像ファイルについては、「同一ＡＥ／ＡＦ画像」が表示される。
【００６７】
例えば、ファイル名が「０００１．ＪＰＧ」および「０００２．ＪＰＧ」の画像ファイルには、ＡＥ／ＡＦ情報に「通常画像」が表示されている。これは、「０００１．ＪＰＧ」の画像ファイルと、「０００２．ＪＰＧ」の画像ファイルとは、画像データの撮影条件が異なることを示すものである。
【００６８】
これに対して、ファイル名が「０００３．ＪＰＧ」〜「０００５．ＪＰＧ」の画像ファイルには、ＡＥ／ＡＦ情報に「同一ＡＥ／ＡＦ画像」が表示される。これは、「０００３．ＪＰＧ」〜「０００５．ＪＰＧ」の画像ファイルはいずれも、「０００２．ＪＰＧ」の画像ファイルと画像データの撮影条件が同一であることを示すものである。なお、「同一ＡＥ／ＡＦ画像」の表示と併せて、撮影条件が同一となる「通常画像」の画像ファイルのファイル名「０００２．ＪＰＧ」が表示される。
【００６９】
なお、図５の例では、画像ファイル「０００８．ＪＰＧ」〜「００１１．ＪＰＧ」が、画像ファイル「０００７．ＪＰＧ」と同一の撮影条件であり、画像ファイル「００１６．ＪＰＧ」〜「００２０．ＪＰＧ」が、画像ファイル「００１５．ＪＰＧ」と同一の撮影条件であり、画像ファイル「００２２．ＪＰＧ」〜「００２５．ＪＰＧ」が、画像ファイル「００２１．ＪＰＧ」と同一の撮影条件である。
【００７０】
さらに、ファイルリストの「同一ＡＥ／ＡＦ画像枚数」の欄には、このように同一の撮影条件で撮影された複数の画像ファイルのファイル数（画像枚数）が表示される。例えば、画像ファイル「０００２．ＪＰＧ」〜「０００５．ＪＰＧ」については、ファイル数が「４」と表示される。なお、このファイル数「４」は、当該複数の画像ファイルのうち、ＡＥ／ＡＦ情報が「通常画像」と表示された画像ファイル（すなわち、画像ファイル「０００２．ＪＰＧ」）に表示される。
【００７１】
同様に、画像ファイル「０００７．ＪＰＧ」にはファイル数「５」が表示され、画像ファイル「００１５．ＪＰＧ」にはファイル数「６」が表示され、画像ファイル「００２１．ＪＰＧ」にはファイル数「５」が表示される。
【００７２】
図５のファイルリストからは、たとえば、画像ファイル「０００７．ＪＰＧ」については、Ｅｘｉｆ情報を参照することにより、自己と撮影条件が同一となる画像ファイルが、自己を含めて合計５個存在していることが分かる。また、画像ファイル「０００８．ＪＰＧ」については、Ｅｘｉｆ情報を参照することにより、画像ファイル「０００７．ＪＰＧ」と同一の撮影条件であることが分かる。一方、画像ファイル「０００６．ＪＰＧ」については、Ｅｘｉｆ情報を参照することにより、自己と撮影条件が同一となる画像ファイルが存在しないことが分かる。
【００７３】
（画像再生処理）
図１を参照して、ＣＰＵ２８は、デジタルカメラ１０の操作部に設けられた再生モードボタン（図示せず）が押下されると、記録媒体４４に記録された画像ファイルを再生する。具体的には、ＣＰＵ２８は、メモリ制御回路３２を制御して、記録媒体４４に記録されている画像ファイルの圧縮画像データをＳＤＲＡＭ３４に一旦格納させる。ＳＤＲＡＭ３４に一旦格納された圧縮画像データは、ＪＰＥＧコーデック４０により伸張処理される。伸張処理された画像データは、ＳＤＲＡＭ３４に一旦格納される。ビデオエンコーダ３６は、メモリ制御回路３２から与えられた画像データをＮＴＳＣフォーマットに従うコンポジットビデオ信号に変換し、変換されたコンポジットビデオ信号を液晶モニタ３８に与える。この結果、画像がモニタ画面に表示される。
【００７４】
画像を再生させる再生モードとしては、１枚ずつ画像を再生して表示する通常再生モードと、複数の画像を縮小して一覧表示させるマルチ再生モードとがある。通常再生モードにおいて、図示しない操作部に設けられたボタン（たとえば、ＷＩＤＥボタン）が押下されると、あるいはメニュー画面からマルチ再生モードが選択されると、マルチ再生モードとなる。
【００７５】
マルチ再生モードでは、たとえば図６（ａ）に示すように、１画面に９枚（＝３×３）の画像が表示される。なお、一画面に表示できる画像枚数の種類としては、４×４，５×５，６×６などがあり、ボタン（たとえば、ＷＩＤＥボタン）の操作により設定を変更できる。
【００７６】
なお、一画面に表示できる画像枚数が６×４のように、縦と横との数が同じでない場合もある。このような場合にも、ボタン（たとえば、ＷＩＤＥボタン）を操作することによって一画面に表示できる画像枚数を変更できる。
【００７７】
例えば、記録媒体４４に、図５に示される、ファイル番号「１」〜「２５」の２５枚の画像ファイルが保存されているとする。通常再生モードからマルチ再生モードに切替えられると、記録媒体４４に保存されている複数の画像ファイルの中から、マルチ画面表示対象となる、９個の画像ファイルを選択する。そして、選択した９個の画像ファイルのうちの最新の画像ファイルが最後の枠（最後尾）に配置されるようにして、９枚の画像（サムネイル）がマルチ再生される。
【００７８】
具体的には、３×３の画像がマルチ再生される場合において、表示される画像は、図５のファイルリストを参照して、各画像ファイルのＥｘｉｆ情報（「ＡＥ／ＡＦ情報」および「同一ＡＥ／ＡＦ画像枚数」）に基づいて選択される。このとき、図５のファイルリストから、ＡＥ／ＡＦ情報に「通常画像」が表示されている画像ファイルが選択され、選択された複数の画像ファイルのサムネイルがマルチ画面表示される。
【００７９】
図６（ａ）には、図５のファイルリストに基づくマルチ画面表示の表示画像の一例が示される。たとえば、図６（ａ）の最上段には、３つの画像ファイル「０００１．ＪＰＧ」，「０００２．ＪＰＧ」，「０００６．ＪＰＧ」のサムネイルが表示される。そして、この３つの画像ファイルのうち、同一の撮影条件で撮影された少なくとも１つの画像ファイルがある画像ファイル「００１３．ＪＰＧ」のサムネイルについては、「同一ＡＥ／ＡＦ画像枚数＝４」が、ＯＳＤ（On Screen Display）表示される。
【００８０】
同様に、図６（ａ）の中段には、３つの画像ファイル「０００７．ＪＰＧ」，「００１２．ＪＰＧ」，「００１３．ＪＰＧ」のサムネイルが表示され、このうちの画像ファイル「０００７．ＪＰＧ」のサムネイルには、「同一ＡＥ／ＡＦ画像枚数＝５」がＯＳＤ表示される。
【００８１】
また、図６（ａ）の最下段には、３つの画像ファイル「００１４．ＪＰＧ」，「００１５．ＪＰＧ」，「００２１．ＪＰＧ」のサムネイルが表示され、このうちの画像ファイル「００１５．ＪＰＧ」および「００２１．ＪＰＧ」のサムネイルには、「同一ＡＥ／ＡＦ画像枚数＝６」および「同一ＡＥ／ＡＦ画像枚数＝５」がそれぞれＯＳＤ表示される。
【００８２】
このようにマルチ再生モードにおいては、記録媒体４４に保存されている複数の画像データのうち、同じ撮影条件で撮影された画像データは、１つの画像グループとしてまとめられ、当該画像グループを代表する代表画像のみが表示される。なお、代表画像には、画像グループに属する複数の画像データの中から、ＡＥ／ＡＦ情報に「通常画像」が表示されている画像データが選択される。
【００８３】
なお、画像グループの編成および代表画像の選択は、図５のファイルリストに表示される画像ファイルごとの「ＡＥ／ＡＦ情報」および「同一ＡＥ／ＡＦ画像枚数」に基づいて行なわれる。図５では、共通の画像グループに属する画像ファイルを矩形で囲んで示してある。また、各画像グループの代表画像には、ファイル番号に「→」が付されている。
【００８４】
このような構成としたことにより、同一の撮影条件で撮影された複数の画像、すなわち、被写界に大きな変化がない複数の画像は、個別に表示されることなく、該複数の画像が属する画像グループの代表画像のみが表示される。これによって、マルチ画面表示での画像間の差異を認識する困難さが解消されるため、再生画像の確認や検索を容易に行なうことが可能となる。
【００８５】
さらに、１の画像グループに属する複数の画像ファイルについては、図６（ａ）の画面上で任意の画像を選択するための選択カーソルを移動させることによって、当該画像グループの代表画像が再生対象画像に選択された場合において、同一の画面に一括表示される。図６（ｂ）には、図６（ａ）のマルチ画面表示において、画像ファイル「００２１．ＪＰＧ」のサムネイルが選択された場合の表示画像の一例が示される。
【００８６】
図６（ｂ）に示すように、画像ファイル「００２１．ＪＰＧ」のサムネイルを代表画像とする画像グループに属する５個の画像ファイル「００２１．ＪＰＧ」，「００２２．ＪＰＧ」，「００２３．ＪＰＧ」，「００２４．ＪＰＧ」，「００２５．ＪＰＧ」のサムネイルが一括表示される。
【００８７】
次に、図７および図８を用いて、マルチ再生モード時に実行されるマルチ画面再生処理を説明する。図７および図８に示すフローチャートは、ＣＰＵ２８がフラッシュメモリ４６に予め記憶された再生制御プログラムを実行することにより実現される。
【００８８】
まず図７を参照して、ステップＳ８１では、記録媒体４４からファイルリスト（図５）の読み出しを行なう。このファイルリストは、上述した記録処理において作成されたものである。ステップＳ８２では、検索ファイル番号Ｎｆの初期化を行なう。ここでは、検索ファイル番号Ｎｆ＝１に設定する。
【００８９】
ステップＳ８３では、検索ファイル番号Ｎｆの画像ファイルのファイルリストを参照して、画像データの撮影条件であるＡＥ／ＡＦ情報を確認する。ＡＥ／ＡＦ情報が「通常画像」であるときには、ステップＳ８４で検索ファイル番号Ｎｆに対応する画像データを、マルチ画面表示するために画像を一旦留めておくための表示用メモリに配置する。
【００９０】
一方、ステップＳ８３においてＡＥ／ＡＦ情報が「同一ＡＥ／ＡＦ画像」であるときには、ステップＳ８５で画像ファイルのファイルリストを参照し、「同一ＡＥ／ＡＦ画像枚数」を検出する。ここでは、当該画像データと撮影条件が同一となる「通常画像」の画像ファイルのファイルリストを参照することにより、「同一ＡＥ／ＡＦ画像枚数」を検出する。
【００９１】
ステップＳ８６では、検出された「同一ＡＥ／ＡＦ画像枚数」を、当該画像データが属する画像グループの代表画像にＯＳＤ表示させる。ステップＳ８７では、検索ファイル番号Ｎｆを更新する。
【００９２】
ステップＳ８８では、表示用メモリへの画像配置が完了したか否かを判別する。３×３のすべての画像の表示用メモリへの配置が完了していれば（判別結果がＹＥＳ）、ステップＳ９０で表示用メモリの最後に配置された画像に対応する画像ファイルのファイルリストを参照することにより、ＡＥ／ＡＦ情報を確認する。同一ＡＥ／ＡＦ画像があるときには、ステップＳ９２で「同一ＡＥ／ＡＦ画像枚数」を検出する。ステップＳ９３で検出された「同一ＡＥ／ＡＦ画像枚数」を、表示用メモリの最後に配置された画像にＯＳＤ表示させた後、処理を終了する。
【００９３】
一方、ステップＳ９１で表示用メモリの最後に配置された画像に同一ＡＥ／ＡＦ画像がないときには、処理を終了する。
【００９４】
ステップＳ８８において、３×３のすべての画像の表示用メモリへの配置が完了していなければ（判別結果がＮＯ）、ステップＳ８９で検索ファイル番号Ｎｆを更新し、ステップＳ９０でファイルリストのすべての画像ファイルを検索したか否かを判別する。ファイルリストのすべての画像ファイルを検索していれば（判別結果がＹＥＳ）、処理を終了する。一方、ファイルリストのすべての画像ファイルの検索が完了していなければ（判別結果がＮＯ）、ステップＳ８３に戻る。
【００９５】
図７の処理手順に従って９枚の画像がマルチ画面表示されている状態において、選択カーソルの移動によって１つの画像が再生対象画像に選択された場合には、ＣＰＵ２８は、図８に示す同一ＡＥ／ＡＦ画像再生処理を実行する。
【００９６】
図８を参照して、ステップＳ１０１では、記録媒体４４からファイルリスト（図５）の読み出しを行なう。ステップＳ１０２では、検索ファイル番号Ｎｆを、選択された画像に対応する画像ファイルのファイル番号に設定する。
【００９７】
ステップＳ１０３では、検索ファイル番号Ｎｆの画像ファイルのファイルリストを参照して、ＡＥ／ＡＦ情報を確認する。同一ＡＥ／ＡＦ画像がないときには、処理を終了する。
【００９８】
ステップＳ１０３で同一ＡＥ／ＡＦ画像があるときには、ステップＳ１０４で検索ファイル番号Ｎｆに対応する画像データを表示用メモリに配置する。
【００９９】
ステップＳ１０５では、表示用メモリへの画像配置が完了したか否かを判別する。３×３のすべての画像の表示用メモリへの配置が完了していれば（判別結果がＹＥＳ）、処理を終了する。一方、３×３のすべての画像の表示用メモリへの配置が完了していなければ（判別結果がＮＯ）、ステップＳ１０６で検索ファイル番号Ｎｆを更新し、ステップＳ１０７でファイルリストのすべての画像ファイルを検索したか否かを判別する。ファイルリストのすべての画像ファイルを検索していれば（判別結果がＹＥＳ）、処理を終了する。一方、ファイルリストのすべての画像ファイルの検索が完了していなければ（判別結果がＮＯ）、ステップＳ１０３に戻る。
【０１００】
以上に述べたように、この発明の実施の形態においては、撮影画像の記録処理において、前回の撮影処理によって撮影画像と同一の撮影条件であることを示す情報が、撮影画像と関連付けて記録される。そして、マルチ画像再生処理においては、撮像画像ごとに付加された撮影条件を示す情報に基づいて、同一の撮影条件で撮影された複数の撮影画像が、１つの画像グループとしてまとめられるとともに、当該画像グループの代表画像のみが表示される。これにより、被写界に大きな変化がない複数の撮影画像がマルチ画面表示された場合に生じる画像間の差異を認識する困難さが解消される。その結果、再生画像の確認や検索を容易に行なうことが可能となる。
【０１０１】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【０１０２】
１０  デジタルカメラ、１２  光学レンズ、１４  ドライバ、１６  イメージセンサ、１８  ＣＤＳ／ＡＧＣ／ＡＤ回路、２０  信号処理回路、２４  輝度評価回路、２６  ＡＦ評価回路、２８  ＣＰＵ、３０  シャッタボタン、３２  メモリ制御回路、３６  ビデオエンコーダ、３８  液晶モニタ、４０  ＪＰＥＧコーデック、４４  記録媒体、４６  フラッシュメモリ、Ｂ１  バス、Ｒｃｕｒｒｅｎｔ，Ｒｓａｖｅ  レジスタ。
【図１】
2011035641.tif 000003
【図２】
2011035641.tif 000004
【図３】
2011035641.tif 000005
【図４】
2011035641.tif 000006
【図５】
2011035641.tif 000007
【図６】
2011035641.tif 000008
【図７】
2011035641.tif 000009
【図８】
2011035641.tif 000010